(57)【要約】      （修正有）【課題】簡易な操作でロック、ロック解放の操作を行うことができ、必ずしも鍵を必要とせず、かつ高い安全性を具えるドアロック装置を提供する。【解決手段】ドアの内側の適宜な位置に設けられるドアロック手段１１と、ドアの隅に設けられ、該ドアロック手段に同期して連動する磁性ロック手段２１とによって構成する。また、ドアロック手段１１と磁性ロック手段２１とを同期して連動させるため、電線３１１で有線接続する。【選択図】図１
0003189075.tif 000002
【実用新案登録請求の範囲】
【請求項１】
ドアの内側の適宜な位置に設けられるドアロック手段と、
ドアの隅に設けられ、該ドアロック手段に同期して連動する磁性ロック手段とを具えることを特徴とするドアロック装置。
【請求項２】
前記ドアロック手段が指紋、掌紋認証、もしくはＲＦＩＤ（Radio Frequency Identification）方式の電子ロック手段の内の任意の一から選択される反応式電子ロック手段であることを特徴とする請求項１に記載のドアロック装置。
【請求項３】
前記ドアロック手段が、鍵を差し込む方式の機械式ロック手段であることを特徴とする請求項１に記載のドアロック装置。
【請求項４】
前記ドアロック手段と磁性ロック手段とが、有線か、もしくは無線方式で連結することを特徴とする請求項１に記載のドアロック装置。
【請求項５】
前記磁性ロック手段が陽極ロックか、もしくは陰極ロックであることを特徴とする請求項１に記載のドアロック装置。
【請求項６】
前記ドアロック装置が、ドアの蝶番側の上端に近接した位置に一端を接続し、他端を壁面に接続してドアを自動的に閉めるシリンダー装置と共にドアに設けられることを特徴とする請求項１に記載のドアロック装置。
【請求項７】
前記シリンダー装置が電動機によって軸で作動させる方式か、もしくは油圧、液圧シリンダー装置であることを特徴とする請求項６に記載のドアロック装置。
【考案の詳細な説明】
【技術分野】
【０００１】
この考案は、ドアロック装置に関し、特に開閉の動作、もしくは電気信号によってロック、解放を行うドアロック装置に関する。
【背景技術】
【０００２】
住居のセキュリティは重要な問題であって、空き巣狙いなどの犯罪を防ぐために、ドアなどのロック装置は新しい技術が、常に開発されている。例えば、目下従来の鍵を用いてロック、解放を行う方式が普及しているが、これ以外にタッチパネル式電子錠、パスワードを入力する電子錠、もしくは無線によってロック、解放を行う電子錠などが開発されている。これら電子錠は、いずれも使用上の利便性と、より高い安全性とを達成するものである。
【０００３】
台湾実用新案公告第Ｍ３６８６９２号に開示される電子錠は、錠前と、電子ロック手段と、制御モジュールと、ロック解放溝とを含んでなり、該電子ロック手段と該制御モジュールとは電気的に接続し、かつ該制御モジュールには少なくとも１組以上のロック解放パスワードが記憶されている。該ロック解放溝は、ＵＳＢプラグのスロットである。
【０００４】
また、別途ＵＳＢプラグを具える記憶媒体を鍵とし、該記憶媒体には、パスワードが記憶され、
該ロック解放溝に挿入し、該制御モジュールに記憶したパスワードに符合すれば、電子ロック手段がロック状態か、もしくは解放状態となる。
【０００５】
然しながら、上述する従来の電子錠は、電子錠による利便性と安全性を具えているものの、仮に記憶媒体である鍵を遺失した場合は、電子錠を解放することができない。また、は他人が故意に取得した場合、安全性が脅かされる。このような場合、パスワードを変更して鍵を作り直すことは、煩雑な手間を必要とし、かつコストも従来の鍵に比して高くなる。さらには、新たに鍵を作るとなれば時間が掛かり、その間ドアのロックを解放することができなくなる。即ち、簡易な操作でロック、ロック解放の操作を行うことができ、必ずしも鍵を必要とせず、かつ高い安全性を具えるドアロック装置の開発が望まれている。
【考案の概要】
【考案が解決しようとする課題】
【０００６】
この考案は、簡易な操作でロックを解放でき、かつ安全性の高いドアロック装置を提供することを課題とする。
【課題を解決するための手段】
【０００７】
そこで、本考案者は、従来の技術に見られる欠点に鑑み鋭意研究を重ねた結果、ドアの内側の適宜な位置に設けられるドアロック手段と、ドアの隅に設けられ、該ドアロック手段に同期して連動する磁性ロック手段とによってドアロック装置を構成することで課題を解決できる点に着眼し、係る知見に基づいて本考案を完成させた。以下、この考案について具体的に説明する。
【０００８】
請求項１に記載するドアロック装置は、ドアの内側の適宜な位置に設けられるドアロック手段と、ドアの隅に設けられ、該ドアロック手段に同期して連動する磁性ロック手段とを具える。
【０００９】
請求項２に記載するドアロック装置は、請求項１におけるドアロック手段が指紋、掌紋認証、もしくはＲＦＩＤ（Radio Frequency Identification）方式の電子ロック手段の内の任意の一から選択される反応式電子ロック手段である。
【００１０】
請求項３に記載するドアロック装置は、請求項１におけるドアロック手段が、鍵を差し込む方式の機械式ロック手段である。
【００１１】
請求項４に記載するドアロック装置は、請求項１におけるドアロック手段と磁性ロック手段とが、有線か、もしくは無線方式で連結する。
【００１２】
請求項５に記載するドアロック装置は、請求項１における磁性ロック手段が陽極ロックか、もしくは陰極ロックである。
【００１３】
請求項６に記載するドアロック装置は、請求項１におけるドアロック装置が、ドアの蝶番側の上端に近接した位置に一端を接続し、他端を壁面に接続してドアを自動的に閉めるシリンダー装置と共にドアに設けられる。
【００１４】
請求項７に記載するドアロック装置は、請求項６におけるシリンダー装置が電動機によって軸で作動させる方式か、もしくは油圧、液圧シリンダー装置である。
【図面の簡単な説明】
【００１５】
【図１】この考案によるドアロック装置の実施の形態を示した説明図である。
【図２】この考案によるドアロック装置の実施の形態を示したブロック図である。
【図３】他の実施の形態によるドアロック装置の構造を示したブロック図である。
【図４】その他の実施の形態によるドアロック装置の構造を示したブロック図である。
【図５】別の実施の形態によるドアロック装置の構造を示したブロック図である。
【図６】さらに別の他実施の形態によるドアロック装置の構造を示したブロック図である。
【図７】この考案によるドアロック装置にドアを閉めるシリンダー装置を応用した実施の態様を示した説明図である。
【考案を実施するための形態】
【００１６】
この考案は簡易な操作でロック、ロック解放の操作を行うことができ、必ずしも鍵を必要とせず、かつ高い安全性を具えるドアロック装置を提供するものであって、ドアの内側の適宜な位置に設けられるドアロック手段と、ドアの隅に設けられ、該ドアロック手段に同期して連動する磁性ロック手段とによって構成する。係るドアロック装置の構造と特徴を詳述するために、具体的な例を挙げ、図面を参照して以下に説明する。
【実施例】
【００１７】
図１、２に開示するように、この考案によるドアロック装置は、ドアの内側の適宜な位置に設けられるドアロック手段１１を具えてなり、ドアロック手段１１の動作によってドアの開閉を制御する。
【００１８】
図１に開示するドアロック手段１１は、図２における反応式電子ロック手段１１１であって、例えば指紋、掌紋認証、もしくはＲＦＩＤ（Radio Frequency Identification）方式の電子ロック手段の内の任意の一である。もしくは非反応の機械式ロック手段１１２であってもよい。
【００１９】
また、ドアの隅には、ドアロック手段１１に同期して連動する磁性ロック手段２１を設ける。磁性ロック手段２１は、図２に開示する陽極ロック２１１であるか、もしくは陰極ロック２１２である。また、ドアロック手段１１と磁性ロック手段２１とを同期して連動させるために、電線３１１で接続する有線方式か、もしくは図２に開示する無線発信装置３１２を用いて無線方式とする。
【００２０】
図３に、反応式電子ロック手段１１１を用いた実施の形態を開示する。反応式電子ロック手段１１１は、電線３１１を用い、有線方式で陽極ロック２１１、もしくは陰極ロック２１２と電気的に接続し、同期して連動する。即ち、反応式電子ロック１１１が、圧力などを検知すると、陽極ロック２１１、もしくは陰極ロック２１２が同期して連動し、ロックまたはロック解放を行う。
【００２１】
図３に、反応式電子ロック手段１１１を用いた他の実施の形態を開示する。図面によれば、反応式電子ロック手段１１１は無線発信装置３１２を具え、陽極ロック２１１、もしくは陰極ロック２１２には、無線受信装置３１３を具える。反応式電子ロック１１１が、圧力などを検知すると、無線発信装置３１２と無線受信装置３１３との間で信号の伝達を行い、陽極ロック２１１、もしくは陰極ロック２１２が同期して連動し、ロックまたはロック解放を行う。
【００２２】
図５に、非反応の機械式ロック手段１１２を用いた実施の形態を開示する。図面によれば、ドアロック手段１１は、機械式ロック手段１１２を具え、電線３１１を用いた有線方式で陽極ロック２１１、もしくは陰極ロック２１２と電気的に接続し、機械式ロック手段１１２に対して鍵を用いてロック、又はロック解放を行う場合、陽極ロック２１１、もしくは陰極ロック２１２が同期して連動し、ロックまたはロック解放を行う。
【００２３】
図５に、非反応の機械式ロック手段１１２を用いた他の実施の形態を開示する。図面によれば、反応式電子ロック手段１１１は無線発信装置３１２を具え、陽極ロック２１１、もしくは陰極ロック２１２には、無線受信装置３１３を具える。機械式ロック手段１１２に対して鍵を用いてロック、又はロック解放を行うと、無線発信装置３１２と無線受信装置３１３との間で信号の伝達を行い、陽極ロック２１１、もしくは陰極ロック２１２が同期して連動し、ロックまたはロック解放を行う。よって、簡易な操作で、二重のドアロック開閉の制御を行うことができる。
【００２４】
図７に開示するように、ドアの蝶番側の上端に近接した位置に、シリンダー装置４１を設けてもよい。シリンダー装置４１は一端をドアに、他端を壁面に連結し、電動機によって軸で作動させるか、もしくは油圧、液圧シリンダー装置を用い、ドアを開けると、自動的に閉まるようにしてもよい。
【符号の説明】
【００２５】
１１          ドアロック手段
１１１        反応式電子ロック手段
１１２        機械式ロック手段
２１          磁性ロック手段
２１１        陽極ロック
２１２        陰極ロック
３１１        電線
３１２        無線発信装置
３１３        無線受信装置
４１          シリンダー装置
【図１】
0003189075.tif 000003
【図２】
0003189075.tif 000004
【図３】
0003189075.tif 000005
【図４】
0003189075.tif 000006
【図５】
0003189075.tif 000007
【図６】
0003189075.tif 000008
【図７】
0003189075.tif 000009